(57)【特許請求の範囲】
【請求項１】
時桁と分桁からなるタイマ時刻を表示する表示手段と、前記タイマ時刻の時桁の値を増やす操作を行う時桁増加操作部と、前記タイマ時刻の時桁の値を減らす操作を行う時桁減少操作部と、前記タイマ時刻の分桁の値を増やす操作を行う分桁増加操作部と、前記タイマ時刻の分桁の値を減らす操作を行う分桁減少操作部と、前記操作部の操作によって前記表示手段の前記タイマ時刻を変更する制御手段と、を備えたタイマ設定装置を備えた遠隔操作装置において、前記制御手段は現在時刻と設定する前記タイマ時刻から設定可能な上限時刻と下限時刻とを求めるとともに、前記時桁増加操作部の操作によって前記タイマ時刻が前記上限時刻を越える時に前記タイマ時刻の前記時桁と前記分桁を前記上限時刻とし、また、前記時桁減少操作部の操作によって前記タイマ時刻が前記下限時刻を下回る時に前記タイマ時刻の前記時桁と前記分桁とを前記下限時刻としたことを特徴とするタイマ設定装置を備えた遠隔操作装置。
【請求項２】
前記制御手段は、前記時桁増加操作部を連続操作し前記タイマ時刻が前記上限時刻を越えたときに、前記上限時刻に最も近接するとともに前記時桁の値を増やす操作が可能な前記タイマ時刻を表示した後に、前記タイマ時刻の前記時桁と前記分桁を前記上限時刻とし、また、前記時桁減少操作部を連続操作し前記タイマ時刻が前記下限時刻を下回ったときに、前記下限時刻に最も近接するとともに前記時桁の値を減らす操作が可能な前記タイマ時刻を表示した後に、前記タイマ時刻の前記時桁と前記分桁を前記下限時刻としたことを特徴とする請求項１に記載のタイマ設定装置を備えた遠隔操作装置。
【請求項３】
前記制御手段は、前記時桁増加操作部を連続操作し前記タイマ時刻が前記上限時刻を越えたときに、前記上限時刻に最も近接するとともに前記時桁の値を増やす操作が可能な前記タイマ時刻を表示した後に、前記時桁増加操作部の再操作によって、前記タイマ時刻の前記時桁と前記分桁を前記上限時刻とし、また、前記時桁減少操作部を連続操作し前記タイマ時刻が前記下限時刻を下回ったときに、前記下限時刻に最も近接するとともに前記時桁の値を減らす操作が可能な前記タイマ時刻を表示した後に、前記時桁減少操作部の再操作によって、前記タイマ時刻の前記時桁と前記分桁を前記下限時刻としたことを特徴とする請求項１に記載のタイマ設定装置を備えた遠隔操作装置。
【請求項４】
前記上限時刻から所定の時間を減らした時刻を第２上限時刻とし、また、前記下限時刻から所定の時間を増やした時刻を第２下限時刻とし、前記タイマ時刻の前記時桁と前記分桁を前記第２上限時刻とし、また、前記タイマ時刻の前記時桁と前記分桁を前記第２下限時刻としたことを特徴とする請求項１から３のいずれに記載のタイマ設定装置を備えた遠隔操作装置。
【発明の詳細な説明】
【技術分野】
【０００１】
本発明は、タイマ設定装置を備えた遠隔操作装置に関する。
【背景技術】
【０００２】
従来、機器を遠隔操作する遠隔操作装置において、予め設定された時刻となったときに運転開始または運転停止を指示する信号を機器に送信するタイマ機能を備えたものが知られている（例えば、特許文献１を参照）。
【先行技術文献】
【特許文献】
【０００３】
【特許文献１】特開平１０−２６７３６６号公報
【発明の概要】
【発明が解決しようとする課題】
【０００４】
また、近年、設定時刻に機器の運転を停止する切タイマと、設定時刻に機器の運転を開始する入タイマとからなる２つのタイマ（の時刻）を設定することが可能な遠隔操作装置が提案されている。
【０００５】
このような２つのタイマを設定する遠隔操作装置を用いる例としては、空気調和機などの運転停止と運転開始がある。運転停止を切タイマで起動した後に、運転開始を入タイマで起動する。また、遠隔操作装置の使い勝手の良さを向上させるために、前回設定した切タイマと入タイマの時刻が記憶されている場合、切タイマの時刻は、現在時刻から入タイマの時刻までの間でしか設定できないという制限が生じ、また、入タイマの時刻は、切タイマの時刻から現在時刻までの間でしか設定できないという制限が生じる。
【０００６】
また、近年、タイマの時刻は、時桁と分桁を独立して設定することが可能な遠隔操作装置が提案されている。
【０００７】
切タイマと入タイマとの２つのタイマを設定するものにおいて、前述したように、切タイマの時刻は、現在時刻から入タイマの時刻までの任意の時間を設定可能である。ただし、分桁の値によっては、切タイマの時刻の時桁が、入タイマの時刻の時桁や現在時刻の時桁まで設定することができず、利用者にはわかりにくく使いにくいものであった。
【０００８】
例えば、図３で示すように、現在時刻が１：４０、切タイマの時刻が２：３０、入タイマの時刻が３：１０とした場合、切タイマの時刻の設定可能な時間の範囲は、下限時刻の１：４０から上限時刻の３：１０までの時間となる。
【０００９】
切タイマの時刻の設定において、切タイマの時刻が２：３０の場合、時桁を減らす操作では、１時間前の時刻１：３０に設定することは、現在時刻である１：４０を下回ってしまうことから時桁の操作によって設定することができない。
【００１０】
このため、切タイマの時刻を２：３０より前に設定する場合は、一度、切タイマの時刻の分桁を５０分に設定した後、切タイマの時刻の時桁を操作する必要があり、利用者にはわかりにくく、操作しづらいものであった。また、時桁を増やす操作、すなわち、１時間後の時刻３：３０に設定することも、入タイマの時刻が３：１０を越えてしまうことから時桁の操作によって設定することができず、前記のように、分桁の操作後に、時桁を操作する必要がある。
【００１１】
そこで本発明は、前記問題点を解消し、時桁と分桁を独立して設定するタイマ設定装置を備えた遠隔操作装置において、容易にタイマの時刻を設定することが可能なタイマ設定装置を備えた遠隔操作装置を提供することを目的とするものである。
【課題を解決するための手段】
【００１２】
本発明のタイマ設定装置を備えた遠隔操作装置は、前記課題を解決するために、時桁と分桁からなるタイマ時刻を表示する表示手段と、前記タイマ時刻の時桁の値を増やす操作を行う時桁増加操作部と、前記タイマ時刻の時桁の値を減らす操作を行う時桁減少操作部と、前記タイマ時刻の分桁の値を増やす操作を行う分桁増加操作部と、前記タイマ時刻の分桁の値を減らす操作を行う分桁減少操作部と、前記操作部の操作によって前記表示手段の前記タイマ時刻を変更する制御手段と、を備えたタイマ設定装置を備えた遠隔操作装置において、前記制御手段は現在時刻と設定する前記タイマ時刻から設定可能な上限時刻と下限時刻とを求めるとともに、前記時桁増加操作部の操作によって前記タイマ時刻が前記上限時刻を越える時に前記タイマ時刻の前記時桁と前記分桁を前記上限時刻とし、また、前記時桁減少操作部の操作によって前記タイマ時刻が前記下限時刻を下回る時に前記タイマ時刻の前記時桁と前記分桁とを前記下限時刻としたものである。
【発明の効果】
【００１３】
以上の構成によって、本発明は、所期の目的を達成することができ、時桁と分桁を独立して設定するタイマ設定装置を備えた遠隔操作装置において、容易にタイマの時刻を設定することが可能なタイマ設定装置を備えた遠隔操作装置を提供することができる。
【図面の簡単な説明】
【００１４】
【図１】本発明の第１実施形態の遠隔操作装置の正面図。
【図２】同実施形態の遠隔操作装置の構成要素を示すブロック図。
【図３】同実施形態の時刻設定を示す図。
【図４】同実施形態の時刻設定を示す図。
【図５】本発明の第２実施形態の時刻設定を示す図。
【発明を実施するための形態】
【００１５】
以下に、本発明の実施形態を添付図面に基づいて説明する。
【００１６】
本発明の遠隔操作装置１は、空気調和機などの機器と、有線、あるいは赤外線や無線通信などの手段で通信し操作するものである。
【００１７】
遠隔操作装置１は、ケース２と、操作手段３と、表示手段４、制御手段５、記憶手段６、発振回路７およびタイマ回路８とを備えている。
【００１８】
ケース２は、合成樹脂からなり、操作手段３と、表示手段４、制御手段５、記憶手段６、発振回路７およびタイマ回路８などを内蔵している。
【００１９】
操作手段３は、本実施形態では、タッチパネルからなる。タッチパネルは、透明であり、表示手段４の前面に設けられている。
【００２０】
本実施形態の操作手段３のタッチパネルは、切タイマ時刻の時桁の値を増やす操作を行う時桁増加操作部３０１と、切タイマ時刻の時桁の値を減らす操作を行う時桁減少操作部３０２と、切タイマ時刻の分桁の値を増やす操作を行う分桁増加操作部３０３と、切タイマ時刻の分桁の値を減らす操作を行う分桁減少操作部３０４と、入タイマ時刻の時桁の値を増やす操作を行う時桁増加操作部３１１と、入タイマ時刻の時桁の値を減らす操作を行う時桁減少操作部３１２と、入タイマ時刻の分桁の値を増やす操作を行う分桁増加操作部３１３と、入タイマ時刻の分桁の値を減らす操作を行う分桁減少操作部３１４と、備えている。これらの操作部３０１〜３０４、３１１〜３１４は、表示手段４で表示する後述する意匠に対応している。また、タイマ時刻を設定する操作を行うタイマ設定操作部３２を備えている。なお、操作手段３は、タッチパネルに限定されるものではなく、機械式のタクトスイッチなどであってもよい。
【００２１】
表示手段４は、例えば、ドットマトリクス型液晶表示素子からなり、操作手段３によって変更される設定状態などを表示するものである。表示される設定状態としては、切タイマ時刻表示４１、入タイマ時刻表示４２、現在時刻表示４３、タイマ設定操作部３２のボタン表示があり、他には、図示していないが、温度、風向きや時刻などがある。
【００２２】
切タイマ時刻表示４１は、操作部３０１〜３０４のボタンの表示と、時桁表示４０１と分桁表示４０２で構成されている。入タイマ時刻表示４２は、操作部３１１〜３１４のボタンの表示と、時桁表示４１１と分桁表示４１２で構成されている。なお、時桁表示４０１、４１１は、０〜２３を表示し、分桁表示４０２、４１２は、０〜５９を表示する。
【００２３】
本実施形態では、表示手段４において、切タイマ時刻表示４１と入タイマ時刻表示４２の二つのタイマ時刻を表示しているが、切タイマ時刻表示４１と入タイマ時刻表示４２を同一位置に表示し、表示を切り替えるものであってもよい。
【００２４】
なお、表示手段４の表示は、常に表示手段４に表示されているわけではなく、遠隔操作装置１の操作によって、表示されていない場合もある。
【００２５】
制御手段５は、マイクロコンピュータからなり、制御手段５が実行する処理（遠隔操作装置１の制御など）を実際に行うＣＰＵ（Central  Processing  Unit）と、ＣＰＵのメインメモリとして機能するＲＡＭ（Random  Access  Memory）と、制御手段５に後述の処理などを実行させる各種プログラムを記憶するＲＯＭ（Read  Only  Memory）と、制御手段５に入出力される情報（信号）をＣＰＵ用にデジタル変換したり出力用にアナログ変換したりする各種変換器と、を備える。制御手段５は、前記機器の温度、風向き等の遠隔操作制御を行うとともに、表示手段４の表示制御を行うものであり、操作部３０１〜３０４、３１１〜３１４の操作によって表示手段４のタイマ時刻を変更するものである。
【００２６】
また、制御手段５は、現在時刻と設定する切タイマ時刻、入タイマ時刻から、切タイマ時刻で設定可能な上限時刻と下限時刻と、入タイマ時刻で設定可能な上限時刻と下限時刻と、を求める。本実施形態では、図３で示すように、切タイマ時刻の上限時刻は、切タイマ時刻の３：１０であり、下限時刻は、現在時刻の１：４０である。なお、入タイマ時刻の上限時刻は、現在時刻（に２４時間を加えた）１：４０であり、下限時刻は、切タイマ時刻の２：３０となる。
【００２７】
記憶手段６は、フラッシュメモリなどからなり、前回設定した切タイマ時刻と入タイマ時刻を記憶している。本実施形態の場合、記憶手段６は、切タイマ時刻は２：３０であり、切タイマ時刻は３：１０であることを記憶している。なお、この記憶手段６は、専用に設ける必要はなく、制御手段５の前記ＲＡＭであってもよい。また、遠隔操作装置１の電池交換などによって、記憶手段６が前回設定した切タイマ時刻と入タイマ時刻を記憶していない場合は、切タイマ時刻、入タイマ時刻ともに、下限時刻が現在時刻で、上限時刻が現在時刻に２４時間を加えた時刻とする。なお、切タイマ時刻、入タイマ時刻の設定後は、前述したとおり、上限時刻、下限時刻が求められる。
【００２８】
時計回路７は、水晶発振器などを含んでおり、現在時刻等を表す時刻データを制御手段５に所定の間隔で出力する。
【００２９】
タイマ回路８は、例えば、ダウンカウンタで構成され、制御手段５によって設定された所定の計時時間、本実施形態の場合、タイマ機能を実行するまでの残時間を計時し、０になった時点で、信号を制御手段５に出力する。
【００３０】
また、本実施形態の遠隔操作装置１は、赤外線で前記機器と通信を行うため、図示していたい赤外線送信手段を備えている。
【００３１】
次に図３を用いて、本発明のタイマ時刻の設定について説明する。本実施形態のタイマ設定は、切タイマ時刻が起動した後に、切タイマ時刻が起動するものであり、今回は、現在時刻が１：４０であり、記憶手段６に予め記憶されていた切タイマ時刻を２：３０とし、入タイマ時刻を３：１０とした場合を例に取って説明する。
【００３２】
タイマ設定は、表示手段４に表示されたタイマ操作部３２を操作することによって、タイマ設定を行うことが可能となる。
【００３３】
本実施形態では、タイマ設定が可能となると、図１に示すように、制御手段５は、記憶手段６から読み出した切タイマ時刻、切タイマ時刻が表示される。
【００３４】
また、制御手段５は、現在時刻と、記憶手段６から読み出した切タイマ時刻と、切タイマ時刻から、切タイマ時刻と切タイマ時刻４２で設定可能な上限時刻と下限時刻とを求める。
【００３５】
操作部３０１〜３０４の操作によって切タイマ時刻を設定する操作を説明する。時桁の値を変更する操作部３０２の操作によって、下限時刻を下回る時に、切タイマ時刻表示４１の時桁４０１と分桁４０２とを下限時刻の１：４０とする。また、時桁の値を変更する操作部３０１の操作によって、上限時刻を越える時に、切タイマ時刻表示４１の時桁４０１と分桁４０２とを上限時刻の３：１０とする。例えば、下限時刻が１：４０であり、変更前の切タイマ時刻が、２：３０とした場合、切タイマ時刻用の時桁減少操作部３０２の操作によって、時桁の値を操作し、１：１０と時桁の数値を減らす操作を行った場合、１：１０は、下限時刻の１：４０を下回るので、切タイマ時刻表示４１の時桁４０１と分桁４０２との表示を下限時刻の１：４０とする。また、上限時刻が３：１０である場合、切タイマ時刻表示４１の操作部３０１の操作によって、時桁の値を操作し、３：３０と時桁の数値を増やす操作を行った場合、３：３０は、上限時刻の３：１０を越えるので、切タイマ時刻表示４１の時桁４０１と分桁４０２との表示を上限時刻の３：１０とする。
【００３６】
なお、図３では、上限時刻と下限時刻とが近接した場合であったが、図４で示すように、切タイマ時刻の上限時刻と下限時刻とが離れており、時桁操作部３０１、３０２、３１１、３１２の連続操作（長押し操作）が可能な場合、操作部３０２、３１２を連続操作し、切タイマ時刻が下限時刻を下回ったときに、下限時刻に最も近接するとともに時桁の値を減らす操作が可能な切タイマ時刻を表示した後に、切タイマ時刻の時桁と分桁を下限時刻としてもよい。具体的な例では、下限時刻が２３：４０であり、切タイマ時刻が、２：３０で、入タイマ時刻が、３：１０とした場合、切タイマ時刻表示４１の操作部３０２の連続操作によって、時桁の値を操作し、１：３０、０：３０と時桁の数値を減らし、切タイマ時刻が下限時刻２３：４０を下回ったときに、下限時刻に最も近接するとともに時桁の値を減らす操作が可能なタイマ時刻である０：３０を表示した後に、切タイマ時刻の時桁と分桁を下限時刻２３：４０としてもよい。なお、上記の処理は、上限時刻の場合でも同等である。また、入タイマ時刻の設定であってもよい。
【００３７】
また、上記の設定では、操作部３０１、３０２、３１１、３１２の連続操作（長押し操作）によって、タイマ時刻を上限時刻、あるいは下限時刻としたが、時桁操作部３０１、３０２、３１１、３１２を連続操作したときに、上限時刻に最も近接するとともに時桁の値を増やす操作が可能なタイマ時刻、あるいは、下限時刻に最も近接するとともに時桁の値を減らす操作が可能なタイマ時刻を表示した後に、さらに、操作部３０１、３０２、３１１、３１２を操作することによって、タイマ時刻を上限時刻、あるいは下限時刻としてもよい。例えば、時桁の値を減らす操作部３０２、３１２を連続操作し、タイマ時刻が下限時刻を下回ったときに、下限時刻に最も近接するとともに時桁の値を減らす操作が可能なタイマ時刻を表示した後に、さらに、時桁減少操作部３０２、３１２の操作によって、タイマ時刻の前記時桁と前記分桁を前記下限時刻としてもよい。具体的な例では、下限時刻が２３：４０であり、記憶手段６に予め記憶されていた切タイマ時刻が、２：３０で、入タイマ時刻が、３：１０とした場合、切タイマ時刻表示４１の操作部３０２の連続操作によって、時桁の値を操作し、１：３０、０：３０と時桁の数値を減らし、切タイマ時刻が下限時刻２３：４０を下回ったときに、下限時刻に最も近接するとともに時桁の値を減らす操作が可能なタイマ時刻である０：３０を表示した後に、さらに、操作部３０２の操作によって、切タイマ時刻の時桁と分桁を下限時刻２３：４０としてもよい。なお、上記の処理は、上限時刻の場合でも同等である。また、入タイマ時刻の限定であってもよい。
【００３８】
また、前記実施形態では、タイマ時刻を上限時刻あるいは下限時間の値となるように変更したが、前記実施形態に限定されるものではなく、本発明の第２実施形態として、図５で示すように、上限時刻から所定の時間を減らした時刻を第２上限時刻とし、また、前記下限時刻から所定の時間を増やした時刻を第２下限時刻とし、タイマ時刻の時桁と分桁を第２上限時刻とし、また、タイマ時刻の時桁と分桁を第２下限時刻としてもよい。例えば、切タイマ時刻を設定する場合、切タイマ時刻の上限時刻が３：１０から所定の時間（１０分）を減らした時刻３：００を第２上限時刻とし、下限時刻が１：４０から所定の時間（１０分）を増やした時刻１：５０を第２下限時刻としたものである。なお、入タイマ時刻も同様である。このように構成したことによって、機器が動作する時間を確保することができ、使用者の利便性が向上する。
【００３９】
以上のように、時桁と分桁からなるタイマ時刻を表示する表示手段４と、タイマ時刻の時桁の値を増やす操作を行う時桁増加操作部３０１、３１１と、タイマ時刻の時桁の値を減らす操作を行う時桁減少操作部３０２、３１２と、タイマ時刻の分桁の値を増やす操作を行う分桁増加操作部３０３、３１３と、タイマ時刻の分桁の値を減らす操作を行う分桁減少操作部３０４、３１４と、操作部３０１〜３０４、３１１〜３１４の操作によって表示手段４のタイマ時刻を変更する制御手段５と、を備えたタイマ設定装置を備えた遠隔操作装置１において、制御手段５は、現在時刻と設定するタイマ時刻から設定可能な上限時刻と下限時刻とを求めるとともに、時桁増加操作部３０１、３０２の操作によってタイマ時刻が上限時刻を越える時にタイマ時刻の時桁と分桁を上限時刻とし、また、時桁減少操作部３０２、３１２の操作によってタイマ時刻が下限時刻を下回る時にタイマ時刻の時桁と分桁とを下限時刻としたことによって、時桁と分桁を独立して設定するタイマ設定装置を備えた遠隔操作装置１において、容易にタイマの時刻を設定することが可能なタイマ設定装置を備えた遠隔操作装置１を提供することができる。
【００４０】
また、制御手段５は、時桁増加操作部３０１、３１１を連続操作しタイマ時刻が上限時刻を越えたときに、上限時刻に最も近接するとともに時桁の値を増やす操作が可能なタイマ時刻を表示した後に、タイマ時刻の時桁と分桁を上限時刻とし、また、時桁減少操作部３０２、３１２を連続操作しタイマ時刻が下限時刻を下回ったときに、下限時刻に最も近接するとともに時桁の値を減らす操作が可能なタイマ時刻を表示した後に、タイマ時刻の時桁と分桁を下限時刻としたことによって、時桁と分桁を独立して設定するタイマ設定装置を備えた遠隔操作装置１において、容易にタイマの時刻を設定することが可能なタイマ設定装置を備えた遠隔操作装置１を提供することができるとともに、操作部３０１、３０２、３１１、３１２の連続操作時に、時桁で操作可能なタイマ時刻で表示の更新が一度停止するために、時桁の値をこれ以上更新できないことが容易にわかり、利用者がわかりやすく操作性が向上するタイマ設定装置を備えた遠隔操作装置１を提供することができる。
【００４１】
また、制御手段５は、時桁増加操作部３０１、３１１を連続操作しタイマ時刻が上限時刻を越えたときに、上限時刻に最も近接するとともに時桁の値を増やす操作が可能なタイマ時刻を表示した後に、時桁増加操作部３０１、３１１の再操作によって、タイマ時刻の時桁と分桁を上限時刻とし、また、時桁減少操作部３０２、３１２を連続操作しタイマ時刻が下限時刻を下回ったときに、下限時刻に最も近接するとともに記時桁の値を減らす操作が可能なタイマ時刻を表示した後に、時桁減少操作部３０２、３１２の再操作によって、タイマ時刻の時桁と分桁を下限時刻としたことによって、時桁と分桁を独立して設定するタイマ設定装置を備えた遠隔操作装置１において、容易にタイマの時刻を設定することが可能なタイマ設定装置を備えた遠隔操作装置１を提供することができるとともに、操作部３０１、３０２、３１１、３１２の連続操作時に、時桁で操作可能なタイマ時刻で表示の更新が一度停止するために、時桁の値をこれ以上更新できないことが容易にわかり、再度の時桁の操作によって、タイマ時刻を上限あるいは下限時刻に設定することができ、利用者がわかりやすく操作性が向上するタイマ設定装置を備えた遠隔操作装置１を提供することができる。
【００４２】
また、上限時刻から所定の時間を減らした時刻を第２上限時刻とし、また、下限時刻から所定の時間を増やした時刻を第２下限時刻とし、タイマ時刻の時桁と分桁を前記第２上限時刻とし、また、タイマ時刻の時桁と分桁を前記第２下限時刻としたことによって、時桁と分桁を独立して設定するタイマ設定装置を備えた遠隔操作装置１において、容易にタイマの時刻を設定することが可能なタイマ設定装置を備えた遠隔操作装置１を提供することができるとともに、機器が動作する時間を確保することができ、使用者の利便性が向上する。
【産業上の利用可能性】
【００４３】
本発明は、タイマ設定装置を備えた遠隔操作装置に利用可能である。
【符号の説明】
【００４４】
１      遠隔操作装置
２      ケース
３      操作手段
４      表示手段
５      制御手段
６      記憶手段
７      時計回路
８      タイマ回路
３２      タイマ設定操作部
４１      切タイマ時刻表示
４２      入タイマ時刻表示
４３      現在時刻表示
３０１      切タイマ時刻用の時桁増加操作部
３０２      切タイマ時刻用の時桁減少操作部
３０３      切タイマ時刻用の分桁増加操作部
３０４      切タイマ時刻用の分桁減少操作部
３１１      入タイマ時刻用の時桁増加操作部
３１２      入タイマ時刻用の時桁減少操作部
３１３      入タイマ時刻用の分桁増加操作部
３１４      入タイマ時刻用の分桁減少操作部
４０１      切タイマ時刻の時桁表示
４０２      切タイマ時刻の分桁表示
４１１      入タイマ時刻の時桁表示
４１２      入タイマ時刻の分桁表示
【図１】
0006447186.tif 000002
【図２】
0006447186.tif 000003
【図３】
0006447186.tif 000004
【図４】
0006447186.tif 000005
【図５】
0006447186.tif 000006